(57)【特許請求の範囲】
【請求項１】
内部導体と、前記内部導体の外周に形成された絶縁体層と、前記絶縁体層の外周に形成された外部導体と、前記外部導体の外周に形成された外部被覆層と、が同軸構造をなす同軸ケーブルの先端に装着される同軸ケーブル用コネクタであって、
前記内部導体に導通接続される第１中心コンタクトと、該第１中心コンタクトに導通接続される第２中心コンタクトで構成される中心コンタクトと、
円筒状の開口端を有し前記外部導体と導通接続する第１シェルと、該第１シェルの開口端に導通接続される円筒状の開口端を有する第２シェルで構成されるコネクタ本体と、
中央に貫通孔を有し、該貫通孔に前記第１中心コンタクト及び前記第２中心コンタクトが挿通されるとともに、前記第１シェルの開口端面と端面が面一となるように、外周面を前記第１シェルの内周面に保持される円盤状の絶縁体と、を備え、
前記第１シェルの開口端内周面にはシール部材を配設する装着ガイドが形成され、
該装着ガイドに配設されたシール部材が前記第１シェル、前記絶縁体、及び前記第２シェルによって圧縮されることにより各部材間を密着し、
前記絶縁体の前記装着ガイドに対応する内周面には係合ガイドが形成され、
該係合ガイドに前記第２中心コンタクトの鍔部が係合されることにより、
前記絶縁体が介在する部分のインピーダンスが、空隙絶縁される部分のインピーダンスに整合されることを特徴とする同軸ケーブル用コネクタ。
【請求項２】
前記鍔部には、前記第１中心コンタクトの先端部を係合する係合溝が形成されていることを特徴とする請求項１に記載の同軸ケーブル用コネクタ。
【請求項３】
前記係合ガイドには、シール部材を配設する装着ガイドが連設され、
該装着ガイドに配設されたシール部材が前記第１中心コンタクト、前記第２中心コンタクト、及び前記絶縁体によって圧縮されることにより各部材間を密着することを特徴とする請求項１又は２に記載の同軸ケーブル用コネクタ。
【発明の詳細な説明】
【技術分野】
【０００１】
本発明は、同軸ケーブル用コネクタに関し、特に、インピーダンス整合に好適な構造に関する。
【背景技術】
【０００２】
従来、同軸ケーブル用コネクタとして、同軸ケーブルの内部導体と導通接続する中心コンタクトと、同軸ケーブルの外部導体と導通接続するコネクタ本体と、このコネクタ本体に螺合されることにより、コネクタ本体を同軸ケーブルに圧接する締付具と、を備える構造が知られている（例えば、特許文献１、２）。
【０００３】
同軸ケーブル用コネクタは基本的に上述した構造を有するが、装着される同軸ケーブルの種類に応じて細部構造を工夫した専用のものが提供されている。
例えば、同軸ケーブルの内部導体と外部導体の間に乾燥空気や窒素等のガスを封入される空隙絶縁型の同軸ケーブル用のコネクタにおいては、コネクタ（コネクタ本体或いは締付具）と同軸ケーブルとの間に樹脂製のシール部材（例えば、Ｏリング）を介在させるとともに、コネクタ本体の一方の開口端（同軸ケーブルが接続される反対側）を密閉することで、コネクタ内部の気密性を確保するようにしている。
【０００４】
図４は、従来の空隙絶縁型の同軸ケーブル用コネクタの一例を示す半断面図である。
図４に示すように、同軸ケーブル用コネクタ２０は、中心コンタクト２００と、コネクタ本体２１０と、締付具２２０と、を備えている。
【０００５】
中心コンタクト２００は、同軸ケーブルの内部導体と導通接続される第１中心コンタクト２０１と、第１中心コンタクト２０１の他端側（図４では左側）に接続される第２中心コンタクト２０２と、で構成されている。
内部導体に導通接続された第１中心コンタクト２０１を、絶縁体２３１の中央に形成された貫通孔の一方から挿入すると、絶縁体２３１が第１シェル２１１に嵌着され、第１中心コンタクト２０１と第１シェル２１１は所定長だけ離間されて保持される。
【０００６】
絶縁体２３１の貫通孔の他方から第２中心コンタクト２０２を挿入し、第１中心コンタクト２０１と第２中心コンタクトを螺合させることにより、両者は螺合された状態で絶縁体２３１に保持される。第２中心コンタクト２０２と絶縁体２３１の間にはＯリング２３５が配設されている。このＯリング２３５は、第２中心コンタクト２０２によって圧縮されて、絶縁体２３１と第１中心コンタクト２０１との間を密閉する。
第１シェル２１１の絶縁体２３１が嵌着された側の端面には、第２シェル２１２がボルト２４０により締着される。第１シェル２１１と第２シェル２１２の間にはＯリング２３４が配設されている。Ｏリング２３４は、第２シェル２１２によって圧縮されて、絶縁体２３１と第１シェル２１１との間を密閉する。
【０００７】
上述したように、従来の同軸ケーブル用コネクタ２０においては、第１シェル２１１の一方の開口端を絶縁体２３１で閉塞している。そして、Ｏリング２３４により第１シェル２１１と絶縁体２３１を密着させるとともに、Ｏリング２３５により第１中心コンタクト２０１と絶縁体２３１を密着させることにより、コネクタ内部の気密性を確保するようにしている。
【０００８】
ところで、同軸ケーブル用コネクタは、接続される同軸ケーブルとほぼ同じ特性インピーダンスＺ０を有することが必要とされる。このケーブルの特性インピーダンスＺ０は、内部導体の外径をｄ、外部導体の内径をＤ、内部導体と外部導体の間に介在する絶縁層の誘電率をεｒとすると、ｌｏｇ（Ｄ／ｄ）に比例し、εｒ１／２に反比例することが知られている。
したがって、同軸ケーブル用コネクタ２０においては、接続される同軸ケーブルの特性インピーダンスと整合すべく、外部導体となるコネクタ本体２１０の内径と中心コンタクト２００の外径が設計されることとなる。
【０００９】
図５は、第１シェルと第２シェルの接合部の拡大断面図である。図５において、区間Ｐ２１〜Ｐ２３では、第１中心コンタクト２０１の外径がインピーダンスを決定する内部導体の外径ｄとなり、第１シェル２１１の内径が外部導体の内径Ｄとなる。また、区間Ｐ２４、Ｐ２５では、第２中心コンタクト２０２の外径が内部導体の外径ｄとなり、第２シェル２１２の内径が外部導体の内径Ｄとなる。
【００１０】
空隙絶縁されている区間Ｐ２１では、インピーダンスが同軸ケーブルの特性インピーダンスとほぼ同じＺ０（例えば、５０Ω）となるように、第１シェル２１１の内径と第１中心コンタクト２０１の外径が設計されている。また、空隙絶縁されている区間Ｐ２５も同様に、インピーダンスが同軸ケーブルの特性インピーダンスとほぼ同じＺ０となるように、第２シェル２１２の内径と第２中心コンタクト２０２の外径が設計されている。
絶縁体２３１が介在する区間Ｐ２２では、絶縁体２３１の誘電率εｒが空気の誘電率よりも大きいため、区間Ｐ２１よりも第１シェル２１１の内径を大きくするとともに、第１中心コンタクト２０１の外径を小さくすることで、インピーダンスが同軸ケーブルとほぼ同じＺ０となるようにしている。
【特許文献１】特開２００３−１５１６９８号公報
【特許文献２】特開平１１−３４５６５６号公報
【発明の開示】
【発明が解決しようとする課題】
【００１１】
しかしながら、同軸ケーブル用コネクタ２０のように、絶縁体２３１により第１シェル２１１の開口端を密閉する場合、第２シェル２１２との接合面にＯリング２３４が配設され、第２中心コンタクトとの接合面にＯリング２３５が配設される。
そのため、第１シェル２１１の開口端内周面にはＯリング２３４を装着するための装着ガイド２１１ｆが形成されている。このように、第１シェル２１１に装着ガイド２１１ｆを形成すると、この区間Ｐ２３における外部導体の内径Ｄが大きくなること、および絶縁体２３１とは一般的に誘電率の異なるＯリング２３４、２３５が配設されることにより、区間Ｐ２３におけるインピーダンスは区間Ｐ２２におけるインピーダンスとは異なるものとなってしまう。
【００１２】
一方、Ｏリング２３５は、絶縁体２３１と第１中心コンタクト２０１とを密着させてガス封止するため、ある程度の大きさの線径（太さ）を持たなければならない。そして、第２中心コンタクト２０２は、Ｏリング２３５を圧接するのに十分な外径を有する必要がある。しかしながら、第２中心コンタクト２０２は、コネクタを小型化するにあたり制限を受け、十分な外径を確保できない場合がある。つまり、第２中心コンタクト２０２の外径を大きくすると、それに比例して第２シェル２１２の内径を大きくしなければならないので、小型化が困難となる。
そこで従来は、図５に示すように、第２中心コンタクト２０２のＯリング２３５との接触部位に鍔部２０２ａを設けるようにしている。このように、第２中心コンタクト２０２に鍔部２０２ａを形成すると、この区間Ｐ２４における内部導体の外径ｄが大きくなり、ｌｏｇ（Ｄ／ｄ）が小さくなるので、区間Ｐ２５よりもインピーダンスが小さくなってしまう。
【００１３】
上述したように、従来の同軸コネクタ２０にいおいては、区間Ｐ２３のインピーダンスが、区間Ｐ２２のインピーダンス、すなわち同軸ケーブルの特性インピーダンスＺoと異なるものとなってしまうこと、及び区間Ｐ２４のインピーダンスが区間２５のインピーダンス、すなわち同軸ケーブルの特性インピーダンスＺoよりも小さくなってしまうこととによって、同軸コネクタとしてのインピーダンス整合性の障害となってしまう問題がある。
【００１４】
本発明は、空隙絶縁型の同軸ケーブルのようなコネクタ内部の気密性を確保する必要のある同軸ケーブル用のコネクタにおいて、良好なインピーダンス整合を実現可能な技術を提供することを目的とする。
【課題を解決するための手段】
【００１５】
上記目的を達成するため、本発明は、内部導体と、前記内部導体の外周に形成された絶縁体層と、前記絶縁体層の外周に形成された外部導体と、前記外部導体の外周に形成された外部被覆層と、が同軸構造をなす同軸ケーブルの先端に装着される同軸ケーブル用コネクタであって、
前記内部導体に導通接続される第１中心コンタクトと、該第１中心コンタクトに導通接続される第２中心コンタクトで構成される中心コンタクトと、
円筒状の開口端を有し前記外部導体と導通接続する第１シェルと、該第１シェルの開口端に導通接続される円筒状の開口端を有する第２シェルで構成されるコネクタ本体と、
中央に貫通孔を有し、該貫通孔に前記第１中心コンタクト及び前記第２中心コンタクトが挿通されるとともに、前記第１シェルの開口端面と端面が面一となるように、外周面を前記第１シェルの内周面に保持される円盤状の絶縁体と、を備え、
前記第１シェルの開口端内周面にはシール部材を配設する装着ガイドが形成され、
該装着ガイドに配設されたシール部材が前記第１シェル、前記絶縁体、及び前記第２シェルによって圧縮されることにより各部材間を密着し、
前記絶縁体の前記装着ガイドに対応する内周面には係合ガイドが形成され、
該係合ガイドに前記第２中心コンタクトの鍔部が係合されることにより、
前記絶縁体が介在する部分のインピーダンスが、空隙絶縁される部分のインピーダンスに整合されることを特徴とする。
【００１６】
好ましくは、前記鍔部には、前記第１中心コンタクトの先端部を係合する係合溝が形成されていることを特徴とする。
【００１７】
さらに好ましくは、前記係合ガイドには、シール部材を配設する装着ガイドが連設され、該装着ガイドに配設されたシール部材が前記第１中心コンタクト、前記第２中心コンタクト、及び前記絶縁体によって圧縮されることにより各部材間を密着することを特徴とする。
【発明の効果】
【００１８】
本発明によれば、空隙絶縁型の同軸ケーブルのようなコネクタ内部の気密性を確保する必要のある同軸ケーブル用のコネクタにおいて、良好なインピーダンス整合を実現でき、電圧定在波比の低減を図ることができる。
【発明を実施するための最良の形態】
【００１９】
以下、本発明の実施の形態を図面に基づいて説明する。
図１は本発明に係る同軸ケーブル用コネクタの一例を示す半断面図、図２は第１シェルの開口端部を軸方向先端側から見た側面図（Ｏリング装着前）である。
同軸ケーブル用コネクタ１０は、例えば、空隙絶縁型の同軸ケーブルで、ケーブル内部の気密性を確保する必要がある同軸ケーブル用のコネクタとして使用される。
【００２０】
図１には、同軸ケーブル５０を装着した状態について示している。なお、図１においては、同軸ケーブル５０の内部導体５１はパイプ型の空隙部を含むものとして、絶縁体５３は空隙部を含むものとして記載している。
図１に示すように、同軸ケーブル用コネクタ１０は、同軸ケーブル５０の内部導体５１と導通接続する中心コンタクト１００と、外部導体５３と導通接続するコネクタ本体１１０と、コネクタ本体１１０に螺合されることによりコネクタ本体１１０を同軸ケーブル５０に圧接する締付具１２０と、を備えて構成される。
【００２１】
コネクタ本体１１０は、同軸ケーブル５０の外部導体５３と外部被覆層５４の間に挿入されるクランプブッシュ１１３と、クランプブッシュ１１３の外周面に係合されクランプブッシュ１１１を圧接することにより同軸ケーブル５０を保持する第１シェル１１１と、第１シェル１１１にボルト１４０で締着される第２シェル１１２と、を備えている。
クランプブッシュ１１３は、同軸ケーブル５０の外部導体５３の外径とほぼ同程度の内径を有する略円筒状の部材であり、外周面が先細に縮径するテーパ部１１３ａを有している。このテーパ部１１１ａが同軸ケーブル５０の外部導体５３と外部被覆層５４との間に挿入される。
【００２２】
第１シェル１１１は、略円筒状の部材であり、その内径は、中心コンタクト１００との位置関係で同軸ケーブル５０の特性インピーダンスと整合すべく設計されている。第１シェル１１１の軸方向略中央には、銅管継手１４１を介して乾燥空気や窒素等のガスを導入するためのガス導入口１１１ｄが形成されている。
ガス導入口１１１ｄを挟んで一端側（図１では右側）の外周面には、Ｏリング１３３を配設するための溝１１１ａと、締付具１２０と螺合するための雄ねじ１１１ｂが形成されている。雄ねじ１１１ｂが形成されている部位に対応する内周面において、クランプブッシュ１１３と当接することとなる。
【００２３】
ガス導入口１１１ｄを挟んで他端側（図１では左側）の内周面には、絶縁体１３１を保持するための保持部１１１ｃが形成されており、保持部１１１ｃには、Ｏリング１３４を配設するための装着ガイド１１１ｆが連設されている。この保持部１１１ｃの肉厚を他の部位に比べて薄くすることで、絶縁体１３１により絶縁される部分におけるインピーダンスを調整している。
また、第１シェル１１１の他端側の端面には、ボルト１４０と螺合する雌ねじ１１１ｅが形成されている。
【００２４】
第２シェル１１２の内周面は、先端側（図１では左側）に向けて内径が段々に縮径される形状を有し、その内径は、中心コンタクト１００との位置関係で同軸ケーブル５０の特性インピーダンスと整合すべく設計されている。また、第２シェル１１２の軸方向略中央には、第２中心コンタクト１０２を第２シェル１１２と所定長だけ離間して保持する絶縁体１３２を保持するための保持部１１３ａが形成されている。また、第２シェル１１２の後端部は、ボルト１４０を挿通する挿通孔１１２ｃが形成された鍔部１１２ｂとなっている。
【００２５】
締付具１２０は、一端側（図１では左側）の内周面に第１シェル１１１と螺合するための雌ねじ１２０ａが形成されている。また、締付具１２０の内周面略中央には、同軸ケーブル５０の外部被覆層５４と当接するクランプリング１３０の後端を係止する段部１２０ｂが形成されている。
クランプリング１３０は、クランプブッシュ１１３のテーパ部１１３ａと対向するテーパ状の内周面を有している。同軸ケーブル５０の外部被覆層５４は、クランプブッシュ１１３とクランプリング１３０により狭持されることとなる。
【００２６】
中心コンタクト１００は、同軸ケーブル５０の内部導体５１に導通接続される第１中心コンタクト１０１と、第１中心コンタクト１０１の他端側（図１では左側）に導通接続される第２中心コンタクト１０２と、で構成されている。
第１中心コンタクト１０１の一端側（図１では左側）から所定長の部位は、絶縁体１３１の貫通孔１３１ｃに挿入される挿入部１０１ｃとなる。この挿入部１０１ｃの肉厚を他の部位に比べて薄くすることで、絶縁体１３１により絶縁される部分におけるインピーダンスを調整している。また、挿入部１０１ｃの内周面には、第２中心コンタクト１０２と螺合する雌ねじが形成されている。
第１中心コンタクト１０１の他端側（図１では右側）の外周面には、内部導体（例えば、銅パイプ）５１と螺合する雄ねじ１０１ａが形成されている。
【００２７】
第２中心コンタクト１０２の一端側（図１では右側）から所定長の部位は、絶縁体１３１の貫通孔１３１ｃに挿入される挿入部１０２ｂとなる。挿入部１０２ｂの外周面には、第１中心コンタクト１０１と螺合する雄ねじが形成されている。また、挿入部１０２ｂの根元には、絶縁体１３１に係合する鍔部１０２ａが形成されており、鍔部１０２ａには、第１中心コンタクト１０１の挿入部１０１ｃの先端を係合する係合溝１０２ｃが形成されている。
ここで、鍔部１０２ａの径方向の高さは、Ｏリング１３５が十分に圧接される高さとされる。
【００２８】
絶縁体１３１は、例えば、テフロン（登録商標）製の円盤状部材で、中央に貫通孔１３１ｃを有している。絶縁体１３１ｃの端面内周側には、第２中心コンタクト１０２の鍔部１０２ａと係合する係合ガイド１３１ｂと、Ｏリング１３５を配設する装着ガイド１３１ａが連設され、断面階段状となっている。
【００２９】
コネクタ本体１１０のクランプブッシュ１１３を同軸ケーブル５０の外部導体５３と外部被覆層５４との間に挿入することによりコネクタ本体１１０は同軸ケーブル５０に取り付けられ、同軸ケーブル５０の外部導体５３と導通接続されることとなる。そして、コネクタ本体１１０に締付具１２０を螺合させることによりＯリング１３３を介してコネクタ本体１１０を同軸ケーブル５０に圧接させると、同軸ケーブル５０はコネクタ本体１１０から脱着しないように保持される。このとき、Ｏリング１３３は圧縮変形され、第１シェル１１１と締付具１２０との隙間を密閉する。
また、図示を省略するが、締付具１２０と同軸ケーブル５０との間にはＯリング等のシール部材が配設される。このシール部材は、適当な方法により加圧されて締付具１２０と同軸ケーブル５０との間を密閉する。
【００３０】
同軸ケーブル５０の内部導体（例えば、銅パイプ）５１の内周面に雌ねじを形成し、これに第１中心コンタクト１０１の雄ねじ１０１ａを螺合させると、第１中心コンタクト１０１は内部導体５１と密着し、導通接続される。なお、第１中心コンタクト１０１の先端部１０１ｂにはすりわりが形成されており、止めネジ１４２を締め込むことにより、先端部１０１ｂのすりわり溝が広がり、内部導体５１の内面と密着するようになっている。
但し、同軸ケーブル５０の内部導体５１と同軸ケーブル用コネクタ１０の中心コンタクト１００との導通接続については、この方法に限定されず、半田付け構造等、別の方法を用いてもよい。
【００３１】
絶縁体１３１の貫通孔１３１ｃの一方から第１中心コンタクト１０１を挿入すると、絶縁体１３１が第１シェル１１１の保持部１１１ｃに嵌着され、第１中心コンタクト１０１と第１シェル１１１は所定長だけ離間されて保持される。
このとき、第１シェル１１１の開口端面と、絶縁体１３１との端面は面一となる。また、第１中心コンタクト１０１の挿入部１０１ｃの先端も絶縁体１３１の端面と面一なり、装着ガイド１３１ａにＯリング１３５が容易に装着できるようになっている。
なお、ここでいう「面一」とは、完全に面一のものだけでなく、各端面に差があっても、その差がＯリング１３５の潰ししろ以内であるものも含むものとする。このように各端面の差がＯリングの潰ししろ以内であれば、完全に面一の場合と同様に気密が得られる。
【００３２】
絶縁体１３１の装着ガイド１３１ａにＯリング１３５を配設した後、絶縁体１３１の貫通孔１３１ｃの他方から第２中心コンタクト１０２を挿入し、第１中心コンタクト１０１と第２中心コンタクト１０２を螺合させることにより、両者は螺合された状態で絶縁体１３１に保持される。装着ガイド１３１ａに配設されたＯリング１３５は、第２中心コンタクト２０２によって圧縮されて、絶縁体２３１と第１中心コンタクト２０１との間を密閉する。
【００３３】
第１シェル１１１の装着ガイド１１１ｆにＯリング１３４を配設した後、第１シェル１１１の絶縁体１３１が嵌着された側の端面には、第２シェル１１２がボルト１４０により締着される。装着ガイド１１１ｆに配設されたＯリング１３４は、第２シェル１１２によって圧縮されて、絶縁体１３１と第１シェル１１１との間を密閉する。
【００３４】
上述したように、同軸ケーブル用コネクタ１０においては、第１シェル１１１の一方の開口端を絶縁体１３１で閉塞している。そして、Ｏリング１３４により第１シェル１１１と絶縁体１３１を密着させるとともに、Ｏリング１３５により第１中心コンタクト１０１と絶縁体２３１を密着させることにより、コネクタ内部の気密性を確保するようにしている。
【００３５】
図３は、第１シェルと第２シェルの接合部の拡大断面図である。
図３において、区間Ｐ１１〜Ｐ１３では、第１中心コンタクト１０１の外径がインピーダンスを決定する内部導体の外径ｄとなり、第１シェル２１１の内径が外部導体の内径Ｄとなる。区間Ｐ１４では、第２中心コンタクト１０２（鍔部１０２ａ）の外径が内部導体の外径ｄとなり、第１シェル１１１（装着ガイド１１１ｆ）の内径が外部導体の内径Ｄとなる。また、区間Ｐ１５では、第２中心コンタクト２０２の外径が内部導体の外径ｄとなり、第２シェル２１２の内径が外部導体の内径Ｄとなる。
【００３６】
図３において、空隙絶縁されている区間Ｐ１１では、インピーダンスが同軸ケーブルの特性インピーダンスとほぼ同じＺ０（例えば、５０Ω）となるように、第１シェル１１１の内径と第１中心コンタクト１０１の外径が設計されている。空隙絶縁されている区間Ｐ１５も同様に、インピーダンスが同軸ケーブルの特性インピーダンスとほぼ同じＺ０となるように、第２シェル１１２の内径と第２中心コンタクト１０２の外径が設計されている。したがって、空隙絶縁されている区間Ｐ１１及びＰ１５のインピーダンスはほぼＺ０である。
【００３７】
絶縁体１３１が介在する区間Ｐ１２では、絶縁体１３１の誘電率εｒが空気の誘電率（約１．０）よりも大きいため（例えば、テフロン（登録商標）製の場合は２．０〜２．２）、区間Ｐ１１よりも第１シェル１１１の内径を大きくし、第１中心コンタクト１０１の外径を小さくすることで、インピーダンスが同軸ケーブルとほぼ同じＺ０となるようにしている。したがって、区間Ｐ１２のインピーダンスもほぼＺ０である。
【００３８】
区間Ｐ１３では、第１シェル１１１に装着ガイド１１１ｆが形成されているので、その分だけ外部導体の内径Ｄが大きくなっている。また、絶縁体１３１とは一般には誘電率の異なりうるＯリング１３４と１３５とが入る。以上より、一般には区間Ｐ１３のインピーダンスは区間Ｐ１２のそれと変化してしまう。
【００３９】
区間Ｐ１４でも第１シェル１１１に装着ガイド１１１ｆが形成されているが、この区間における内部導体の外径ｄは第２中心コンタクト２０１の鍔部１０２ａの外径となる。この鍔部１０２ａの径方向の高さについては、Ｏリング１３５が十分に圧接される範囲内で自由に設定できる。つまり、径方向を高くする自由度があるため、この区間のインピーダンスを低くする方向の設定には自由度がある。このインピーダンス設定の自由度と区間Ｐ１３のインピーダンス値を考慮して、区間１４と区間Ｐ１３の幅の比率を適当に設定することにより、区間Ｐ１３〜Ｐ１４の合成インピーダンスをケーブルの特性インピーダンスＺoにより近づくように設定させることが可能となる。
【００４０】
本実施形態に係る同軸ケーブル用コネクタ１０においては、区間Ｐ１５、すなわち、第２シェルの右側、つまり第１シェルに接する部分におけるインピーダンスに不連続部がなく、ケーブルの特性インピーダンスＺoに整合されているため、図５に示す従来の同軸ケーブル用コネクタ２０に比較してインピーダンスの整合性が格段に改善される。
また、Ｏリング１３４，１３５が挿入される区間Ｐ１３〜Ｐ１４ついても、その区間の合成インピーダンをケーブルの特性インピーダンスＺoにより近づくように設定させることが可能であるため、図５に示す従来の同軸ケーブル用コネクタ２０に比較してインピーダンスの整合性が格段に改善される。このように、同軸ケーブル用コネクタ２０によれば、インピーダンスの整合性を改善でき、電圧定在波比の低減を図ることができる。
【００４１】
以上、本発明者によってなされた発明を実施形態に基づいて具体的に説明したが、本発明は上記実施形態に限定されるものではなく、その要旨を逸脱しない範囲で変更可能である。
上記実施形態では、Ｏリング１３５を介して第２中心コンタクト１０２を絶縁体１３１に係合させるようにしているが、Ｏリング１３５を配設しない構成としてもよい。すなわち、コネクタ内部の気密性を確保する必要のない同軸ケーブルの場合には、必ずしも絶縁体１３１と第１中心コンタクト１０１との間を密閉する必要はないので、Ｏリング１３５を配設しない構成とできる。この場合でも、第１シェル１１１と第２シェル１１２との接合面にはＯリング１３４が配設される、すなわち、第１シェル１１１には装着ガイド１１１ｆが形成されるので、第２中心コンタクト１０２の鍔部１０２ａを絶縁体１３１に係合させることで、インピーダンスの整合性を改善できる。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４３】
【図１】本発明に係る同軸ケーブル用コネクタの一例を示す半断面図である。
【図２】第１シェルの開口端部を軸方向先端側から見た側面図である。
【図３】同軸ケーブル用コネクタ１０における第１シェルと第２シェルの接合部の拡大断面図である。
【図４】従来の同軸ケーブル用コネクタの一例を示す半断面図である。
【図５】同軸ケーブル用コネクタ２０における第１シェルと第２シェルの接合部の拡大断面図である。
【符号の説明】
【００４４】
１０  同軸ケーブル用コネクタ
１００  中心コンタクト
１０１  第１中心コンタクト
１０２  第２中心コンタクト
１０２ａ  鍔部
１１０  コネクタ本体
１１１  第１シェル
１１１ｆ  装着ガイド
１１２  第２シェル
１３１  絶縁体
１３１ａ  装着ガイド
１３１ｂ  係合ガイド
１３４  Ｏリング
１３５  Ｏリング
【要約】
【課題】空隙絶縁型の同軸ケーブルのようなコネクタ内部の気密性を確保する必要のある同軸ケーブル用のコネクタにおいて、良好なインピーダンス整合を実現可能な技術を提供する。
【解決手段】第１シェルの開口端内周面にシール部材を配設する装着ガイドが形成され、該装着ガイドに配設されたシール部材が第１シェル、絶縁体、及び第２シェルによって圧縮されることにより各部材間を密着する同軸ケーブル用コネクタにおいて、絶縁体の前記装着ガイドに対応する内周面に係合ガイドを形成し、該係合ガイドに中心コンタクトの鍔部が係合される。これにより、前記絶縁体が介在する部分のインピーダンスが、空隙絶縁される部分のインピーダンスに整合される。
【選択図】図３【図１】
0004330029.tif 000002
【図２】
0004330029.tif 000003
【図３】
0004330029.tif 000004
【図４】
0004330029.tif 000005
【図５】
0004330029.tif 000006